(57)【要約】【課題】使用に便利であるとともに低コストでの製作ができ、電源も不要なる有用なる流量制御装置を提供する。【解決手段】その内部に隔壁を有する中空下部開放の本体と、該本体上方に連通接続される流入制御部を設け、隔壁により仕切られた一方の空間内に昇降可能なるフロートを設け、他方の空間内に回動可能なる弁体とこの弁体に接触可能なる弁座を位置させ、フロート内部に設けた斜方空隙内を弁体の一部がスライド可能に構成することにより、液面位置の上昇によるフロート上昇にて弁体を弁座に接触させて液体通過経路を遮断するよう構成したことを特徴とする。【選択図】図５
2007247884.tif 000002
【特許請求の範囲】
【請求項１】
その内部に隔壁を有する中空下部開放の本体と、該本体上方に連通接続される流入制御部を設け、隔壁により仕切られた一方の空間内に昇降可能なるフロートを設け、他方の空間内に回動可能なる弁体とこの弁体に接触可能なる弁座を位置させ、フロート内部に設けた斜方空隙内を弁体の一部がスライド可能に構成することにより、液面位置の上昇によるフロート上昇にて弁体を弁座に接触させて液体通過経路を遮断するよう構成したことを特徴とする液面感知型流量制御装置。
【請求項２】
下部開放の中空の本体と該本体内に貫通固着して上方に伸延する内管を設け、内管上部に流入制御部を設け、内管下部に弁座を位置させるとともに弁座上方に棒状の補助体を位置させ、一方、本体と内管との空隙内にて昇降可能なるフロートを設けるとともにフロート下部に軸を横架させ、軸に開閉可能なる一対の弁体を設け、該弁体間に補助体を位置させ、液面上昇によるフロート上昇にて弁体が開いて弁座に接触することにより、液体通過経路の遮断を可能としたことを特徴とする液面感知型流量制御装置。
【発明の詳細な説明】
【技術分野】
【０００１】  この発明は、液面変化により生ずるフロートの移動にて液体通過経路を遮断することにより、流量の制御を行うことのできる液面感知型の流量制御装置に関する。
【背景技術】
【０００２】  従来より種々の方式による流量制御手段が利用されているが、本発明にて示すように、フロート移動にて流入経路内に位置する弁の開閉を行う方式の流量制御装置は見当たらない。
【発明の開示】
【発明が解決しようとする課題】
【０００３】  従来より、所定液量を得るために流量の制御を行ういわゆる流量制御装置が利用されているが、その大半は複雑な機械的部分を有し、あるいはセンサーと電気回路の組み合わせによるものであり、簡便な使用に適さずコスト面での有利性を有さないものであった。
本発明は以上のような従来からの流量制御手段に関わる課題を解決するために発明されたもので、構造簡単にしてその使用も容易であり、低コストでの製作を可能とする新規かつ有用なる装置を提供することを目的としたものである。
【課題を解決するための手段】
【０００４】  課題を解決する手段として本発明の第１は以下の構成とした。
すなわち、その内部に隔壁を有する中空下部開放の本体と、該本体上方に連通接続される流入制御部を設け、隔壁により仕切られた一方の空間内に昇降可能なるフロートを設け、他方の空間内に回動可能なる弁体とこの弁体に接触可能なる弁座を位置させ、フロート内部に設けた斜方空隙内を弁体の一部がスライド可能に構成することにより、液面位置の上昇によるフロート上昇にて弁体を弁座に接触させて液体通過経路を遮断するよう構成する。
また、本発明の第２は以下に構成した。
下部開放の中空の本体と該本体内に貫通固着して上方に伸延する内管を設け、内管上部に流入制御部を設け、内管下部に弁座を位置させるとともに弁座上方に棒状の補助体を位置させ、一方、本体と内管との空隙内にて昇降可能なるフロートを設けるとともにフロート下部に軸を横架させ、軸に開閉可能なる一対の弁体を設け、該弁体間に補助体を位置させ、液面上昇によるフロート上昇にて弁体が開いて弁座に接触することにより、液体通過経路の遮断を可能とする。
本発明は、以上の構成よりなる液面感知型流量制御装置である。
【発明の効果】
【０００５】  本発明によれば、液面上昇にともなうフロートの上昇にて弁体が作動して液体通過経路を遮断するよう構成したので、簡便なる構成による低コストでの製作を可能とし、その使用も容易なる有用なる流量制御装置を提供することができる。また、作動のための電源は不要であり、流入停止の確認とその解除も容易である。
【発明を実施するための最良の形態】
【０００６】  以下、本発明の実施形態について説明する。
図１〜図１４は本発明の第１を示すものである。図において、１は中空円柱形の本体で、その上縁に上板を有するとともに無底であり、その内部中央に隔壁２が上端より下端まで固着位置している。またこの隔壁１に直交して隔壁３が本体の上下端間に固着される。
隔壁２の中間位置には縦長のスリット４が形成される。
本体上面適所には孔が穿設され、この孔に接して短管による接続管５が連通固着され、この接続管上端に、回動体とケースよりなる流入制御部６が設けられる。この流入制御部構成要素の一つであるケース７は図５に示すように中空円柱体であり、その上下に孔が穿設され、これらの孔のうち上部には短管による流入管８が連通固着され、下部の孔には前記接続管が固着される。また、ケースの一側面には大径の孔が穿設される。
回動体９は、ケースと相似形の中空円柱体であるが、ケース内壁にわずかの距離をもってケース内に位置する。この回動体は図７〜図８に示すように、その内部に管体が位置するとともに、管体端位置の回動体面には孔が設けられている。
この内部管体の一つは回動体外径と等しい長さで中央に位置し、他の一つは管体の中央側面に貫通接続し、回動体面の孔に接続される。従って、回動体内部にはＴ字形の流入経路が形成されている。【０００７】  この回動体側面（平面）部の一方には平板よりなるつまみ１０が固着され、このつまみは前記ケースの大径より突出して位置する。以上にて、つまみをつまんで回動体を回動させることにより流入管からの液の流入と流入阻止を選択することができる。
すなわち、図６の上方状態では流入管は回動体側面にふさがれて流入不可であるが、下方状態では流入管と回動体内部の管そして接続管が一致して連通状態となり、流入が可能である。また、前記ケース側面適所には小径の孔が穿設され、この孔に圧抜き管１１が連通接続される。この圧抜き管は適宜に折曲され、本体上面の孔を通過して隔壁３と本体内面との間隙内を下方に延び、本体下端近傍に達している。前記の非流入回動体位置では回動体内の管体とこの圧抜き管は連通状態となるため、後述する弁体への水圧を解除することができる。
１２は弁座で、本体のほぼ中間位置に本体内壁と２つの隔壁により囲まれる空間内において、鍔状に固着される板体であり、その上面には弾性を有する略環状のゴム板によるパッキン１３が固着される。１４は弁体で、上記弁座に対応する平板部分を有する板体で、その一端に孔が穿設されるとともに、この孔内に軸が貫通され、軸の両端は本体内壁と隔壁３間に固着される。従って、弁体はこの軸を回動中心として約９０度の範囲にて回動可能であり、隔壁２に沿った位置と弁座上のパッキンに接触する位置との選択が可能である。また、弁体側部から細板によるアーム１５が斜方に突出している。【０００８】  １６は発泡合成樹脂による平面視半円形の柱状フロートで、その上面中央には表示棒１７が固着立設される。このフロートは本体内面および隔壁とわずかの距離をもって本体内に位置しつつ本体内を所定範囲内にて昇降が可能である。このとき、本体上面に設けた孔内を表示棒が昇降する。フロートは図１１〜図１４にて示すように、その内部および側面に空隙１８を有している。この空隙は正面視においてフロート上部から下部まで斜方に延び、また平面視において略Ｔ字形に設けられ、かつフロートの平面部分中央の上下端間にスリット状部分を有している。そして、前記弁体のアーム端に孔が穿設されるとともに、この孔内に適宜長の軸が挿通されてこの軸は上記スリット内に移動可能に位置している。
以上の構成から、フロート最下位置では図５にて示すように弁体は隔壁に沿って位置し、フロートの上昇とともにアーム端の軸はフロート内空隙に沿って移動し、弁体は回動する。フロート最上位置では弁体は弁座上のパッキンに接触静止する。なお、１９は弁体のやや上方位置の隔壁に固着される所定厚・サイズの保護板である。
以上が本発明の第１の構成である。【０００９】  本発明の使用に際しては、まず液体貯留個所における規定貯留液面位置がフロート上方位置となるよう本品をセットし、流入管に配水管を接続し、つまみを回して回動体位置を非流入位置（図６の上図）とする。次ぎに、元栓を開けてから回動体を流入位置（図６の下図）とする。
これにより流入管、回動体内、接続管を通過した水は本体内を下降して貯留容器に流入し、その液面は上昇する。液面がフロート下端より上昇するとその浮力にてフロートは上昇し、このフロート上昇につれてアーム端の軸はフロート内の空隙１８に沿って移動し、弁体も回動して弁座に近づく。ある程度の位置まで弁体が傾くと流水の押圧を受けて弁体は急激に回動し、弁座上のパッキンに押圧接触し、これ以降の流入は阻止され、貯留液面が静止し、所望の貯留容積が確保される。
フロートは弁体の静止位置では本体内最上位置となり、表示棒も本体から突出して最上位置を示す。初期状態に戻すには、再び回動体を回動させて非流入位置とし、回動体内の管体は接続管と圧抜き管に対して連通状態となり、本体内の水圧は解除されて表示棒を押し下げることが可能となり、これにて初期状態へと戻すことができる。
なお、通水時において、弁体に流水が作用して所定量の貯留前に弁体が回動して通水経路が遮断されることを防ぐために、弁体上方に保護板を設けたものである。【００１０】  図１５〜図２３は本発明の第２を示すものである。
図において、３０は中空円柱形の本体で、その下面を円形に切除するとともに、その上面適所に扇形の切除部３１を有している。また上面中央に孔が穿設されるとともに、この孔に内管３２が貫通固着される。内管上端には前発明と同様のケース、回動体、流入管が各々設けられ、ケース側面に連通接続される圧抜き管は本体上面の孔を貫通して本体下端近傍に達している。内管下端よりやや上方には対向する一対の半ドーナツ状の弁座３３が内部固着され、弁座上面に一対のパッキン３４が固着される。また弁座両端には小板を折り返した形状の保持板３５が一体に設けられ、この保持板は弁座下方に垂下している。
弁座位置の内管両側面には適宜長のスリット３６が形成される。３７は弁座上方の内管に横架される丸棒状の補助体である。
３８は本体内に位置する平面視略ドーナツ形のフロートである。
このフロートは中空体であり、その外径は本体内径に、その内径は内管外径に近似であって内管に沿って本体内を昇降が可能である。平面視においてフロートの側面一部に上下に空隙３９が設けられ、この空隙内には前記圧抜き管が位置する。またフロート上面適所には一対のＬ形の細板体による接続板４０が固着され、これら接続板は本体上面の切除部から突出し、この突出端には環状の表示環４１が内管をその内に位置させて設けられる。
フロート下端近傍には軸４２が横架され、この軸に一対の半円形の弁体４３が蝶番方式にて回動による開閉が可能に設けられ、これらの弁体間には補助体が位置している。
以上が本発明の第２の構成である。【００１１】  本発明の使用については、まず前発明と同様に配管接続と本品のセットを行い、回動体を非流入状態にしておき、元栓を開ける。次ぎに流入状態とすることにより、水は回動体を経て内管内を通過して貯留が始まる。液面がフロート位置に達するとその浮力にてフロートは上昇を開始する。フロート上昇にて軸４２は保持板間を上昇し、補助体に近づく。
この補助体と軸間距離が近づくにつれて一対の弁体は徐々に開いてゆくが、ある程度まで開くと流水の押圧を受けて弁体は急速に開いて弁座上のパッキンに押圧接触し、この状態にてはこの弁体にて内管が閉鎖されて流水の大半は遮断され、以降の貯留が阻止される。
このとき、フロート位置は本体内上方にあり、表示環は内管に沿って上方位置にある。
初期状態に戻すには、回動体を回動させて非流入位置とすることで前述と同様に圧抜きがなされて表示環を押し下げて初期状態に復帰させることができる。
なお、本例ではパッキンおよび弁体は２分割されており、通水遮断時における若干の漏れを想定しており、簡易な使用に適している。また、２つの弁体が合わさった状態においては保持板間に位置し、この保持板間を弁体がスライドする方式のため、弁体の移動がスムースとなり、その可動範囲の規定がなされている。【００１２】  以上２つの発明について記したが、フロート移動に連動して弁体が動き、この弁体が弁座上のパッキンに押圧接触することにより通水経路の遮断がなされて所定の貯留となるものであり、フロートにて液面位置の感知がなされる方式のために、電気的部分を有さずその使用も簡便なるところに本発明の特徴があり、多数の部品を要さず低コストでの製作が可能である。また、表示棒や表示環を用いたのでその上下位置にて貯留完了を容易に認知することができる。なお、既述の例では本体を中空円柱形としたが、角形その他の形状としてもよい。この場合はフロート形状は適宜に変更される。また、ケースと回動体の組み合わせによる流入制御部としたが、同様の機能を有するものであれば他の構造の制御部を用いてもよい。
以上のごとく、本発明により有用なる流量制御装置を得ることができる。
【図面の簡単な説明】
【００１３】
【図１】  本発明の第１の拡大平面図
【図２】  本発明の第１の正面図
【図３】  本発明のＡ−Ａ断面における内部構造説明図（一部略）
【図４】  本発明の第１の左側面図
【図５】  本発明の第１の構造および機能説明図
【図６】  本発明の流入制御部の機能説明図
【図７】  本発明の回動体の拡大平面図
【図８】  本発明の回動体の拡大正面図
【図９】  本発明の第１の弁体の正面図
【図１０】  本発明の第１の弁体の左側面図
【図１１】  本発明の第１のフロートの平面図
【図１２】  本発明の第１のフロートの正面図
【図１３】  本発明の第１のフロートの底面図
【図１４】  本発明の第１のフロートの右側面図
【図１５】  本発明の第２の平面図
【図１６】  本発明の第２の正面図
【図１７】  本発明の第２の左側面図
【図１８】  本発明の第２の要部説明図（一部簡略表現）
【図１９】  本発明の第２の構造説明図
【図２０】  本発明の第２のフロートの平面図
【図２１】  本発明の第２のフロートの構造説明図（正面視）
【図２２】  本発明の第２の要部構造説明図
【図２３】  本発明の第２の要部構造説明図
【符号の説明】
【００１４】１    本体
２    隔壁
３    隔壁
４    スリット
５    接続管
６    流入制御部
７    ケース
８    流入管
９    回動体
１０  つまみ
１１  圧抜き管
１２  弁座
１３  パッキン
１４  弁体
１５  アーム
１６  フロート
１７  表示棒
１８  空隙
１９  保護板
３０  本体
３１  切除部
３２  内管
３３  弁座
３４  パッキン
３５  保持板
３６  スリット
３７  補助体
３８  フロート
３９  空隙
４０  接続板
４１  表示環
４２  軸
４３  弁体
【図１】
2007247884.tif 000003
【図２】
2007247884.tif 000004
【図３】
2007247884.tif 000005
【図４】
2007247884.tif 000006
【図５】
2007247884.tif 000007
【図６】
2007247884.tif 000008
【図７】
2007247884.tif 000009
【図８】
2007247884.tif 000010
【図９】
2007247884.tif 000011
【図１０】
2007247884.tif 000012
【図１１】
2007247884.tif 000013
【図１２】
2007247884.tif 000014
【図１３】
2007247884.tif 000015
【図１４】
2007247884.tif 000016
【図１５】
2007247884.tif 000017
【図１６】
2007247884.tif 000018
【図１７】
2007247884.tif 000019
【図１８】
2007247884.tif 000020
【図１９】
2007247884.tif 000021
【図２０】
2007247884.tif 000022
【図２１】
2007247884.tif 000023
【図２２】
2007247884.tif 000024
【図２３】
2007247884.tif 000025